(57)【特許請求の範囲】
【請求項１】
無線アクセスネットワーク（１１０）に含まれるリピータまたはリレー（１００）を制御する制御ユニット（１５０）における方法であって、
前記リピータまたは前記リレー（１００）にトンネル（１６０）を通して通常のデータ通信としてリピータ制御メッセージを送信し、該トンネルは、前記無線アクセスネットワーク（１１０）が前記リピータ制御メッセージを通常のデータ通信であると思い、送信されるのが制御メッセージであると気付かないように、前記リピータまたは前記リレー（１００）のＳＩＭカードまたは携帯電話番号、またはインターネットプロトコル“ＩＰ”アドレスを指定することで前記無線アクセスネットワーク（１１０）の中の前記制御ユニット（１５０）から前記リピータまたはリレー（１００）への利用可能な無線通信チャネル（１６０）をセットアップすることによって生成され、前記リピータ制御メッセージは、前記リピータまたは前記リレー（１００）を制御するように設定されるステップ（４０１）を特徴とする方法。
【請求項２】
前記リピータ制御メッセージは、前記リピータまたは前記リレー（１００）のスケジューリング制御を実行するようになされる、請求項１に記載の方法。
【請求項３】
前記リピータ制御メッセージは、前記リピータまたは前記リレー（１００）のＯＮ／ＯＦＦを切り替えるようになされる、請求項１に記載の方法。
【請求項４】
前記リピータ制御メッセージは、前記リピータまたは前記リレー（１００）の送信電力レベルを制御するようになされる、請求項１に記載の方法。
【請求項５】
前記リピータまたは前記リレー（１００）からリピータ制御メッセージを受信し、前記リピータ制御メッセージは前記無線アクセスネットワーク（１１０）の中の利用可能な無線通信チャネル（１６０）を介した通常のデータ通信としてトンネルされるステップ（４０２）をさらに含む、請求項１〜４のいずれか１項に記載の方法。
【請求項６】
前記リピータ制御メッセージは、前記リピータまたは前記リレー（１００）から受信され（４０２）、
前記リピータ制御メッセージは、前記リピータまたは前記リレー（１００）からのフィードバックを含む、請求項５に記載の方法。
【請求項７】
前記リピータ制御メッセージは、測定結果レポートを含む、請求項５に記載の方法。
【請求項８】
前記制御ユニット（１５０）は、前記無線アクセスネットワーク（１１０）に含まれる、請求項１〜７のいずれか１項に記載の方法。
【請求項９】
前記制御ユニット（１５０）は、例えばノードＢのような無線基地局（１３０）に含まれる、請求項１〜８のいずれか１項に記載の方法。
【請求項１０】
前記制御ユニット（１５０）は、前記無線アクセスネットワーク（１１０）の外部にあり、
前記リピータ制御メッセージを送信するステップ（４０１）または受信するステップ（４０２）は、前記無線アクセスネットワーク（１１０）に接続された例えばインターネットのようなデータ通信ネットワークを介して実行され、該無線アクセスネットワーク（１１０）において前記リピータ制御メッセージは通常のデータ通信としてトンネルされて送信または受信される、請求項１〜９のいずれか１項に記載の方法。
【請求項１１】
前記無線アクセスネットワーク（１１０）は、前記制御ユニット（１５０）に気付かない、請求項１０に記載の方法。
【請求項１２】
制御ユニット（１５０）によって制御されるリピータまたはリレー（１００）における方法であって、前記リピータまたは前記リレー（１００）は無線アクセスネットワーク（１１０）に含まれ、
前記制御ユニット（１５０）からトンネル（１６０）を通して通常のデータ通信としてリピータ制御メッセージを受信し、該トンネルは、前記無線アクセスネットワーク（１１０）が前記リピータ制御メッセージを通常のデータ通信であると思い、受信されるのが制御メッセージであると気付かないように、前記リピータまたは前記リレー（１００）のＳＩＭカードまたは携帯電話番号、またはインターネットプロトコル“ＩＰ”アドレスを指定することで前記無線アクセスネットワーク（１１０）の中の前記制御ユニット（１５０）から前記リピータまたはリレー（１００）への利用可能な無線通信チャネル（１６０）をセットアップすることによって生成され、前記リピータまたはリレーは前記リピータ制御メッセージを用いて前記制御ユニットによって制御されるステップ（６０１）を特徴とする方法。
【請求項１３】
前記リピータまたは前記リレー（１００）は、携帯電話デバイス（２１０）を含み、該携帯電話デバイス（２１０）は、前記トンネルされたリピータ制御メッセージを受信するステップ（６０１）または送信するステップ（６０２）のために用いられる、請求項１２に記載の方法。
【請求項１４】
前記携帯電話デバイスは、携帯電話プラットフォームによって具現される、請求項１３に記載の方法。
【請求項１５】
前記携帯電話デバイスは、ユーザ装置によって具現される、請求項１３に記載の方法。
【請求項１６】
前記リピータ制御メッセージは、前記リピータまたは前記リレー（１００）のスケジューリング制御を実行するようになされている、請求項１２〜１５のいずれか１項に記載の方法。
【請求項１７】
前記リピータ制御メッセージは、前記リピータまたは前記リレー（１００）のＯＮ／ＯＦＦの切り替え、または前記リピータまたは前記リレー（１００）の送信電力レベルの制御をするようになされている、請求項１２〜１６のいずれか１項に記載の方法。
【請求項１８】
リピータ制御メッセージを前記制御ユニット（１５０）に送信し、前記リピータ制御メッセージは前記無線アクセスネットワーク（１１０）の中の利用可能な無線通信チャネルを介した通常のデータ通信としてトンネルされるステップ（６０２）をさらに含む、請求項１２〜１７のいずれか１項に記載の方法。
【請求項１９】
前記リピータ制御メッセージは、前記リピータまたは前記リレー（１００）からのフィードバックを含む、請求項１８に記載の方法。
【請求項２０】
前記リピータ制御メッセージは、測定結果報告を含む、請求項１８に記載の方法。
【請求項２１】
前記無線アクセスネットワーク（１１０）は、前記リピータまたは前記リレー（１００）に気付かない、請求項１２〜２０のいずれか１項に記載の方法。
【請求項２２】
リピータまたはリレー（１００）を制御する制御ユニット（１５０）における装置（５００）であって、前記リピータまたは前記リレー（１００）は無線アクセスネットワーク（１１０）に含まれ、
前記リピータまたは前記リレー（１００）にトンネル（１６０）を通して通常のデータ通信としてリピータ制御メッセージを送信するように設定され、該トンネルは、前記無線アクセスネットワーク（１１０）が前記リピータ制御メッセージを通常のデータ通信であると思い、送信されるのが制御メッセージであると気付かないように、前記リピータまたは前記リレー（１００）のＳＩＭカードまたは携帯電話番号、またはインターネットプロトコル“ＩＰ”アドレスを指定することで前記無線アクセスネットワーク（１１０）の中の前記制御ユニット（１５０）から前記リピータまたはリレー（１００）への利用可能な無線通信チャネル（１６０）をセットアップすることによって生成され、前記リピータ制御メッセージは前記リピータまたは前記リレー（１００）を制御するように設定される送受信機ユニット（５１０）を備えることを特徴とする制御ユニット装置（５００）。
【請求項２３】
前記送受信機ユニット（５１０）は、さらに、前記リピータまたは前記リレー（１００）からリピータ制御メッセージを受信するようになされ、前記リピータ制御メッセージは、前記無線アクセスネットワーク（１１０）の中の利用可能な無線通信チャネル（１６０）を介した通常のデータ通信としてトンネルされる、請求項２２に記載の制御ユニット装置（５００）。
【請求項２４】
前記制御ユニット（１５０）は、前記無線アクセスネットワーク（１１０）に含まれる、請求項２２または２３に記載の制御ユニット装置（５００）。
【請求項２５】
前記制御ユニット（１５０）は、例えばノードＢのような無線基地局に含まれる、請求項２２〜２４のいずれか１項に記載の制御ユニット装置（５００）。
【請求項２６】
前記無線アクセスネットワーク（１１０）は、前記制御ユニット（１５０）に気付かない、請求項２２〜２５のいずれか１項に記載の制御ユニット装置（５００）。
【請求項２７】
リピータまたはリレー（１００）における装置（７００）であって、前記リピータまたは前記リレー（１００）は無線アクセスネットワーク（１１０）に含まれ、
制御ユニット（１５０）からトンネル（１６０）を通して通常のデータ通信としてリピータ制御メッセージを受信するように設定され、該トンネルは、前記無線アクセスネットワーク（１１０）が前記リピータ制御メッセージを通常のデータ通信であると思い、受信されるのが制御メッセージであると気付かないように、前記リピータまたは前記リレー（１００）のＳＩＭカードまたは携帯電話番号、またはインターネットプロトコル“ＩＰ”アドレスを指定することで前記無線アクセスネットワーク（１１０）の中の前記制御ユニット（１５０）から前記リピータまたはリレー（１００）への利用可能な無線通信チャネル（１６０）をセットアップすることによって生成され、前記リピータまたはリレーは前記リピータ制御メッセージを用いて前記制御ユニットによって制御される送受信機ユニット（７１０）を備えることを特徴とするリピータまたはリレー装置（７００）。
【請求項２８】
前記送受信機ユニット（７１０）は、さらに、前記制御ユニット（１５０）にリピータ制御メッセージを送信するように設定され、前記リピータ制御メッセージは前記無線アクセスネットワーク（１１０）の中の利用可能な無線通信チャネルを介した通常のデータ通信としてトンネルされる、請求項２７に記載のリピータまたはリレー装置（７００）。
【請求項２９】
携帯電話デバイス（２１０）をさらに備え、該携帯電話デバイス（２１０）は、前記トンネルされたリピータ制御メッセージの送信または受信のために用いられるように設定される、請求項２７に記載のリピータまたはリレー装置（７００）。
【請求項３０】
前記携帯電話デバイス（２１０）は、携帯電話プラットフォームによって具現される、請求項２９に記載のリピータまたはリレー装置（７００）。
【請求項３１】
前記携帯電話デバイス（２１０）は、ユーザ装置によって具現される、請求項２９に記載のリピータまたはリレー装置（７００）。
【請求項３２】
前記無線アクセスネットワーク（１１０）は、前記リピータまたは前記リレー（１００）に気付かない、請求項２７〜３１のいずれか１項に記載のリピータまたはリレー装置（７００）。
【発明の詳細な説明】
【技術分野】
【０００１】
本発明は、制御ユニットにおける方法および配置、およびリピータにおける方法および配置に関する。特に、リピータ制御メッセージによってリピータを制御することに関する。
【背景技術】
【０００２】
リピータは、例えば無線アクセスネットワークに接続された基地局およびユーザ装置（ＵＥ：user  equipment）の間の電磁信号を再増幅するために、無線通信システムにおいて広く用いられている。リピータは、特定のチャネルの信号を受信し、増幅し、再送する。増幅されて、信号はより長い距離を伝播し、またはよりよい品質、すなわち元の信号よりもよい信号対雑音干渉比を提供する。リピータは、レイヤ−１リレーとしても知られる。
【０００３】
無線通信システムＬＴＥ（Long  Term  Evolution）アドバンスでは、リレー（レイヤ−２およびレイヤ−３の両方）およびリピータの両方が導入される。遅延を持ち込まず、低廉であると考えられるため、リピータがいくらか好まれている。
【０００４】
他のノード、例えばＬＴＥにおける基地局であるｅＮｏｄｅＢからリピータを制御することが望ましい場合がある。この制御は、例えば増幅のＯＮ／ＯＦＦを周波数選択的に切り替えるのに望ましい。
【０００５】
ＬＴＥの進歩において、周波数選択的でありうるリピータをスケジューリングし、ＯＮ／ＯＦＦを切り替えるｅＮｏｄｅＢによって、リピータを制御するために制御チャネルが規格化されることが予想されている。
【０００６】
ｅＮｏｄｅＢスケジューラによって制御される時分割二重通信（ＴＤＤ：Time  Division  Duplex）リピータが、米国特許出願公開第２００７／００１５４６２号明細書に記載されている。この文献において、リピータは、ユーザ端末に関連付けられるものと同様の機能性に関連付けられ、またこの機能性は通信スケジュールを受信するのに用いられる。
【０００７】
すべての望ましい制御および監視（surveillance）をサポートするリピータのための制御プロトコルを導入することは、規格の複雑さを増大させる。
【０００８】
制御チャネルが規格に導入されたとしても、すべてのベンダーのためのすべての望ましい機能性を含むものではおそらくないであろう。大企業が彼らのソリューションを規格に入り込ませるのに対し、３ＧＰＰ（Third  Generation  Partnership  Project）であまり影響力がないより小さな企業はそうではないであろう。３ＧＰＰは、将来の技術の進歩に対処するための３Ｇモバイルシステムを改善する第３世代パートナーシッププロジェクトの中でプロジェクトに与えられた名前である。
【０００９】
また、規格化において、スケジューリングへのフォーカスはより高い優先順位を与えられるであろう。規格に含まれず、少なくとも最初のリリースではそうではないであろう、その他の操作および制御メッセージがある。
【００１０】
制御プロトコルは、さらに、リピータの複雑さとコストを増大させる、より高いレイヤ（レイヤ−２？）の能力を要求しうる。米国特許出願公開第２００７／００１５４６２号明細書は、スケジューリングノードとリピータとの間の通信リンクがどのようにして実現されうるかについて記載していない。
【００１１】
米国特許出願公開第２００８／２１９２０３号明細書は、レガシーフレームストラクチャーの欠損を解消するために用いられるトンネリングシステムを示している。この文献において、基地局は、リピータを介してモバイル加入者にデータを送信する。データは、第１のトンネルドメインにおいて、リレー局から第１のトンネルドメインの境界にあるリレー局へと、トンネルパケットモードで送信される。境界のリレー局は、次に、第１のトンネルドメインから第２のトンネルドメインへとクロスするために、データをトンネルパケットモードからレガシーフレームフォーマットへと変換する。第２のトンネルドメインのリレー局は、データを受信した後、モバイル加入者へのリレー局を解したトンネリングのために、データをトンネルパケットモードへと変換して戻す。このようにして、異なったトンネルドメインの間でデータを送るのにレガシーモードが使われねばならない分散制御の下でトンネリングが実現されうる。
【００１２】
米国特許出願公開第２００８／２１９２０３号明細書は、基地局からリレー局を介してモバイル加入者へと送られる制御データのための方法を開示している。制御データは、データフレームがトンネルバーストモードかレガシーフレームかを識別し、トンネルバーストモードからレガシーモードへの変換が要求されるかを見るために用いられる。
【００１３】
米国特許出願公開第２００／３１７９７２１号明細書は、リピータから“マスター”へのフィードバックのようなリピータメッセージと、マスターからリピータへのリピータ設定メッセージとを開示している。設定は、特定のリピータ機能を利用可能または利用付加にし、タイミングパラメータ、信号閾値などを設定し、つまりはリピータを制御することに関する。
【００１４】
設定メッセージは、すべてのリピータ、個別のリピータ、または特定の種類のリピータに宛てて、マスターからブロードキャストとして送信される。
【発明の概要】
【発明が解決しようとする課題】
【００１５】
本発明の目的は、リピータの柔軟な制御のためのメカニズムを提供することである。
【課題を解決するための手段】
【００１６】
本発明の第１の観点によれば、上記目的は、無線アクセスネットワークに含まれ、リピータを制御する制御ユニットにおける方法によって達成される。制御ユニットは、リピータ制御メッセージをリピータに送信する。リピータ制御メッセージは、無線アクセスネットワークの中の利用可能な無線通信チャネルを介した通常のデータ通信としてトンネルされる。リピータは、制御メッセージによって制御される。
【００１７】
本発明の第２の観点によれば、上記目的は、制御ユニットによって制御されるリピータにおける方法によって達成される。リピータは、無線アクセスネットワークに含まれる。リピータは、制御ユニットからリピータ制御メッセージを受信する。リピータ制御メッセージは、無線アクセスネットワークの中の利用可能な無線通信チャネルを介した通常のデータ通信としてトンネルされる。リピータは、リピータ制御メッセージを用いて制御ユニットによって制御される。
【００１８】
本発明の第３の観点によれば、上記目的は、リピータ制御メッセージを用いてリピータを制御する制御ユニットにおける配置によって達成され、リピータは無線アクセスネットワークに含まれる。制御ユニット配置は、リピータ制御メッセージをリピータに送信するように設定された送受信機ユニットを含む。リピータ制御メッセージは、無線アクセスネットワークの中の利用可能な無線通信チャネルを介した通常のデータ通信としてトンネルされる。
【００１９】
本発明の第４の観点によれば、上記目的は、リピータまたはリレー“リピータ”における配置によって達成される。リピータは、無線アクセスネットワークに含まれる。リピータ配置は、制御ユニットからリピータ制御メッセージを受信するように設定された送受信機ユニットを含む。リピータ制御メッセージは、無線アクセスネットワークの中の利用可能な無線通信チャネルを介した通常のデータ通信としてトンネルされる。リピータは、リピータ制御メッセージを用いて制御ユニットによって制御される。
【００２０】
リピータ制御メッセージがトンネルされることによって、何らかの無線通信規格に採用された制御メカニズムでなくても、いわばリピータを制御するためのより柔軟なメカニズムで、リピータが制御されうる。
【発明の効果】
【００２１】
本発明の１つの利点は、プロプライエタリなリピータ制御が利用可能になることである。これは、例えば所望するソリューションを規格に入れられなかったベンダーに用いられたり、規格によって利用可能になる前のソリューションの早期開発のために利用されたりしうる。
【００２２】
本発明の別の利点は、リピータ制御がサポートされないシステムに発明が適用された場合に、本発明がリピータを制御する手段を提供することである。
【００２３】
本発明のさらなる利点は、プロプライエタリなソリューションや妥協案が少なくなることで簡潔になった規格が利用可能になることである。
【００２４】
本発明のさらなる利点は、リピータおよびリレーのサードパーティー制御が可能になることである。
【図面の簡単な説明】
【００２５】
本発明は、発明の例示的な実施形態を示す添付図面を参照してより詳細に説明される。
【００２６】
【図１】無線通信ネットワークの実施形態を示す概略的なブロック図である。
【図２】無線通信ネットワークの実施形態を示す概略的なブロック図である。
【図３】リピータの実施形態を示す概略的なブロック図である。
【図４】制御ユニットにおける方法の実施形態を示すフローチャートである。
【図５】制御ユニット配置の実施形態を示す概略的なブロック図である。
【図６】リピータにおける方法の実施形態を示すフローチャートである。
【図７】リピータ配置の実施形態を示す概略的なブロック図である。
【発明を実施するための形態】
【００２７】
簡潔に記載すると、このソリューションは、例えば利用可能なデータチャネルのような通常のデータ通信としてトンネルされるリピータ制御メッセージに関わる。リピータ制御メッセージを送信および受信するための規格は要求されず、またプロプライエタリなリピータ制御が使用可能になる。いくつかの実施形態によれば、リピータは、所望の制御ユニット、例えばノードＢから／への無線アクセスネットワークにおけるデータチャネルを通じてリピータへ／からの制御メッセージをトンネルするユーザ装置（ＵＥ）と結合される。
【００２８】
図１は、これよりリピータ１００と呼ばれるリピータまたはリレーを示す。リピータ１００は、ＬＴＥ、ＬＴＥアドバンス、Ｅ−ＵＴＲＡ（Evolved  Universal  Terrestrial  Radio  Access）、ＵＴＲＡ、ＷｉＭａｘ（Worldwide  Interoperability  for  Microwave  Access）のような技術が用いられる無線アクセスネットワーク１１０に含まれる。リピータ１００は、例えば基地局１３０と携帯電話１４０のようなユーザ装置（ＵＥ）との間の無線チャネルのような特定の通信チャネル１２０の信号を受信、増幅、および再送するように構成される。
【００２９】
制御ユニット１５０は、リピータ１００を制御する。リピータ１００は、制御ユニット１５０とリピータ１００との間で送られるリピータ制御メッセージによって制御される。
【００３０】
本ソリューションによれば、リピータ制御メッセージは、無線アクセスネットワーク１００および／または固定回線インフラストラクチャー１７０を利用する基地局１３０とリピータ１００との間の利用可能な無線通信チャネル１６０を通じた通信の通常のデータとしてトンネルされて送られる。このトンネルは、リピータ１００のＳＩＭカード識別または電話番号で指定される制御ユニット１５０からリピータ１００への通常のデータ通信チャネル（コール）のセットアップによって生成されうる。このトンネリングは、無線アクセスネットワーク１１０にリピータ制御メッセージが通常のデータ通信であると思わせ、無線ネットワーク１００（少なくともＲＬＣのような下層レイヤ）に送られるのが本当は制御メッセージであることを気付かせない。このことは、規格化されていないリピータ制御およびプロプライエタリなリピータ制御を可能にする。無線通信チャネルを通じて、どのようなプロプライエタリな制御メッセージも、規格書に規定されることなく送られうる。また、規格によって利用可能になる前のソリューションの早期開発のために可能になる。さらに、プロプライエタリなソリューションや妥協案が少なくなることで規格が簡単になり、リピータおよびリレーのサードパーティー制御が可能になる。
【００３１】
制御ユニット１５０は、無線アクセスネットワーク１１０（図示せず）に含まれてもよい。いくつかの実施形態において、制御ユニット１５０は例えばノードＢのような基地局１３０に含まれる。これらの実施形態において、制御ユニット１５０は、リピータ１００のスケジューリング制御を実行しうる。かかる実施形態は、基地局１３０とリピータ１００とが同じベンダーによって設計される場合に、有利に用いられうる。規格化されたソリューションよりは効率的でないかもしれないが、規格にはまだ実装されていないプロプライエタリかつ望ましいソリューションが利用可能になる。
【００３２】
この場合、トンネルの確立は、リピータのＳＩＭカードの指定、またはＩＰプロトコルによって、ＲＬＣ（Radio  Link  Control）でノードＢからリピータへの無線チャネルリンクをセットアップすることによって生成されうる。
【００３３】
制御ユニット１５０は、図１および２に示されているように、無線アクセスネットワーク１１０の外部にあってもよい。制御ユニット１５０が無線アクセスネットワーク１１０の外部に位置する場合、制御ユニット１５０から、および制御ユニット１５０への制御メッセージは、まず、無線アクセスネットワーク１１０に到達する前に、例えばインターネットのようなネットワーク２００を、おそらくはトンネル１６０へのトンネル２０５を通じて通過せねばならない。このことは、図２に示されている。制御ユニット１５０が無線アクセスネットワーク１１０の外部にある場合、無線アクセスネットワーク１１０は制御ユニット１５０に気付くことはなく、リピータ１００も、無線アクセスネットワーク１１０のカバレッジエリアにおいて実装された他のいかなるリピータもそうではない。かかる実施形態は、ＯＮ／ＯＦＦを切り替えることがタイムクリティカルではなく、スケジューリングの操作のようにノードＢに統合されていないようなリピータおよびリレーの操作および保守のために有用でありうる。ノードＢや無線ネットワーク製品がポートフォリオになくても、ベンダーがリピータを制御することも可能になる。この場合において、トンネルは、電話番号を指定して制御ノード１５０からリピータ１００への“データコール”を作ることによってセットアップされうる。トンネルは、インターネットアドレスを指定してリピータから制御ユニットへ確立されてもよい。
【００３４】
リピータ制御は、携帯電話デバイス２１０を無線リピータ１００に追加することによって実現されうる。このことは図２において概略的に示されているが、この実施形態は図１で示された実施形態においても実装されうる。携帯電話デバイス２１０は、ユーザ装置（ＵＥ）、携帯電話プラットフォーム、およびＳＩＭまたはＵＥコンポーネントその他のような、ノードＢとの制御およびデータ通信ならびにリピータ１００とのデータ通信を実行する能力があるあらゆる携帯電話でありうる。このことは、低コストの携帯電話デバイスまたはＵＥコンポーネントを利用することによって、低コストの制御可能なリピータを利用可能にする。
【００３５】
制御ユニット１５０は、リピータ１００に含まれる、またはリピータ１００に追加される携帯電話デバイス２００への通信チャネル１６０でトンネルされる制御メッセージを送ることによってリピータ１００を制御する。かかる実施形態において、携帯電話デバイスはリピータ１００へ、およびリピータ１００からのリピータ制御メッセージを送信および受信し、リピータ制御メッセージは通信チャネル１６０を介して無線アクセスネットワーク１１０をトンネルされる。つまり、リピータ制御メッセージは、無線アクセスネットワーク１００を通過する他のいかなるデータトラフィックとも同じように扱われる。ここで、無線通信チャネル１６０は、携帯電話デバイス２１０をリピータ１００に追加することによって生成される。つまり、無線通信チャネル１６０は、基地局１３０と、リピータ１００に関連付けられた携帯電話デバイス２００との間で生成される。
【００３６】
携帯電話デバイス２１０とリピータ１００との結合は、例えば図２に示される緩やかな共通サイト（co-sited）ソリューション、またはリピータ１００における携帯電話デバイス２１０のような、異なるレベルでの統合でありうる。一例が図３で示されている。ＢＰＦはバンドパスフィルタであり、ＰＡはパワー増幅器であり、ＬＮＡは低ナイス増幅器（Low  Nice  Amplifier）であり、ＢＰＦ１およびＢＰＦ２はそれぞれノードＢからＵＥへの向き、およびその逆向きのバンドパスフィルタである。図３は、受信された制御メッセージに従って全帯域幅のうち所望の帯域を増幅するだけのためにバンドパスフィルタが制御される、周波数選択的な増幅の制御のみを示している。ここで、ノードＢのスケジューラは、リピータ１００の近傍にあるモバイルのためのスケジュールされた周波数帯域（ＬＴＥではリソースブロック）だけを増幅するようにリピータ１００を制御しうる。送信電力レベルのような他のパラメータも、同様にして制御されうる。また、携帯電話デバイス２１０データチャネルトンネル１６０を通じてリピータ１００によって実行された測定の結果が報告されるようにすることで、測定結果の報告も同様になされうる。
【００３７】
図４に示されるフローチャートを参照して、いくつかの実施形態に係る、リピータを制御するための制御ユニット１５０における方法ステップについて説明する。
【００３８】
上述のように、無線アクセスネットワーク１１０は制御ユニット１５０に気付かないであろう。いくつかの実施形態では制御ユニット１５０が無線アクセスネットワーク１１０の外部にあり、またいくつかの実施形態では制御ユニット１５０が無線アクセスネットワーク１１０に含まれる。制御ユニット１５０は、例えばノードＢのような無線基地局１３０に含まれうる。また、上述のように、リピータ１００は、無線アクセスネットワーク１１０に含まれる。制御ユニット１５０における方法は、以下のステップを含む。
【００３９】
４０１．  リピータ制御メッセージが、リピータまたはリレー１００“リピータ”に送られる。リピータ制御メッセージは、無線アクセスネットワーク１１０の中を、利用可能な無線通信チャネル１６０を介した通常のデータ通信としてトンネルされる。このトンネリングは、それが通常のペイロード、つまり無線ネットワークノードへ、または無線ネットワークノードからの通常のデータ通信であると無線ネットワーク１１０に思わせ、また送られているのが本当は制御メッセージであることを無線ネットワーク１００に気付かせない。リピータ制御メッセージは、リピータ１００を制御するように設定されている。
【００４０】
トンネルは、リピータ１００のＳＩＭカード、携帯電話番号、またはインターネットプロトコル“ＩＰ”（Internet  Protocol）アドレスを指定することによって確立されうる。
【００４１】
いくつかの実施形態において、リピータ制御メッセージは、リピータ１００のスケジュール制御を実行するようになされている。
【００４２】
リピータ制御メッセージは、さらに、リピータ１００のＯＮ／ＯＦＦを切り替える、またはリピータ１００の送信電力レベルを制御するようになされていてもよい。
【００４３】
いくつかの実施形態において、制御ユニット１５０は無線アクセスネットワーク１１０の外部にある。この場合において、このステップは、無線アクセスネットワーク１１０に接続された、例えばインターネットのようなデータ通信ネットワークを介して実行される。無線アクセスネットワーク１１０において、リピータ制御メッセージは、通常のデータ通信としてトンネルされて送信または受信される。
【００４４】
４０２．  このステップは付加的なものである。リピータ制御メッセージがリピータ１００から受信される。リピータ制御メッセージは、無線アクセスネットワーク１１０の中の利用可能な無線通信チャネル１６０を介した通常のデータ通信としてトンネルされる。ステップ４０１では、このトンネリングは、それが通常のデータ通信であると無線ネットワーク１００に思わせ、また、送られているのが本当は制御メッセージであると無線ネットワーク１１０に気付かせない。トンネルは、制御ノード１５０のインターネットアドレスを指定することで、リピータ１００によってイニシエートおよび確立される。
【００４５】
いくつかの実施形態において、リピータ制御メッセージは、リピータ１００からのフィードバックを含む。リピータ制御メッセージは、例えば、アップリンクおよびダウンリンクで測定された干渉電力の報告のような測定結果の報告を含みうる。
【００４６】
また、このステップのいくつかの実施形態において、制御ユニット１５０は、無線アクセスネットワーク１１０の外部にある。この場合、このステップは、無線アクセスネットワーク１１０に接続された、例えばインターネットのようなデータ通信ネットワークを介して実行される。無線アクセスネットワーク１１０において、リピータ制御メッセージは、通常のデータ通信としてトンネルされて送信または受信される。
【００４７】
上記の方法ステップを実行するために、制御ユニット１５０は、図５に示される配置５００を含む。配置（arrangement）は、装置（apparatus）ともみなされうる。
【００４８】
上述のように、制御ユニット１５０は、無線アクセスネットワーク１１０に含まれうる。いくつかの実施形態において、制御ユニット１５０は、例えばノードＢのような無線基地局１３０に含まれる。
【００４９】
制御ユニット１５０は、無線アクセスネットワーク１１０の外部にあってもよい。この場合、送受信機ユニット５１０は、さらに、無線アクセスネットワーク１１０に接続された、例えばインターネットのようなデータ通信ネットワークを介してリピータ制御メッセージを送信または受信するように設定されうる。無線アクセスネットワーク１１０において、リピータ制御メッセージは、通常のデータ通信としてトンネルされて送信または受信される。
【００５０】
無線アクセスネットワーク１１０は、制御ユニット１５０に気付かない場合がある。
【００５１】
また、上述のように、リピータ１００は無線アクセスネットワーク１１０に含まれる。
【００５２】
制御ユニット配置５００は、リピータ制御メッセージをリピータ１００に送るように設定された送受信機ユニット５１０を含む。リピータ制御メッセージは、無線アクセスネットワーク１１０の中の利用可能な無線通信チャネル１６０を介した通常のデータ通信としてトンネルされる。リピータ制御メッセージは、リピータ１００を制御するように設定されている。トンネルは、リピータ１００のＳＩＭカード、携帯電話番号、またはインターネットプロトコル“ＩＰ”アドレスを指定することによって確立されうる。
【００５３】
リピータ制御メッセージは、リピータ１００のスケジューリング制御を実行するようになされていてもよく、リピータ１００のＯＮ／ＯＦＦの切り替え、またはリピータ１００の送信電力レベルの制御などをするようになされていてもよい。
【００５４】
いくつかの実施形態において、送受信機ユニット５１０は、さらに、リピータ１００からリピータ制御メッセージを受信するようになされ、リピータ制御メッセージは、無線アクセスネットワーク（１１０）の中の利用可能な無線通信チャネル（１６０）を介した通常のデータ通信としてトンネルされる。リピータ制御メッセージは、例えば、アップリンクおよびダウンリンクで測定された干渉電力の報告のような測定結果の報告を含みうる。
【００５５】
図６に示されるフローチャートを参照して、いくつかの実施形態に係る制御ユニット１５０によって制御されるリピータまたはリレー１００“リピータ”における方法ステップについて説明する。
【００５６】
上述のように、リピータ１００は、無線アクセスネットワークに含まれる。無線アクセスネットワーク１１０は、リピータ１００に気付かない場合がある。
【００５７】
リピータ１００における方法は、以下のステップを含む。
【００５８】
６０１．  リピータ１００は、制御ユニット１５０からリピータ制御メッセージを受信する。リピータ制御メッセージは、無線アクセスネットワーク１１０の中の利用可能な無線通信チャネル１６０を介した通常のデータ通信としてトンネルされる。
【００５９】
リピータ制御メッセージは、リピータ１００のスケジューリング制御を実行するようになされていてもよく、リピータ１００のＯＮ／ＯＦＦの切り替え、またはリピータ１００の送信電力レベルの制御をするようになされていてもよい。リピータ１００は、リピータ制御メッセージを用いて、制御ユニットによって制御される。
【００６０】
６０２．  このステップにおいて、リピータ１００は、リピータ制御メッセージを制御ユニット１５０に送る。リピータ制御メッセージは、無線アクセスネットワークの中の利用可能な無線通信チャネルを介した通常のデータ通信としてトンネルされる。
【００６１】
いくつかの実施形態において、リピータ制御は、リピータ１００からのフィードバックを含む。リピータ制御メッセージは、例えばアップリンクおよびダウンリンクで測定された干渉電力の報告や、ノードＢまたはモバイルデバイスから受信された信号の信号強度または品質のような測定結果の報告を含みうる。また、それは、モバイルからのアクセス試行または位置更新メッセージのような他のフィードバックであってもよい。
【００６２】
いくつかの実施形態において、リピータ１００は、携帯電話デバイス２１０を含む。携帯電話デバイス２１０は、トンネルされたリピータ制御メッセージを送信する６０１および受信する６０２のステップのために用いられうる。携帯電話デバイス２１０は、例えば、携帯電話プラットフォームまたはユーザ装置として表されうる。トンネルは、リピータ１００のＳＩＭカード、携帯電話番号、またはインターネットプロトコル“ＩＰ”アドレスを指定することで、制御ノードによって確立されうる。
【００６３】
制御ユニット１５０によって制御される上記の方法ステップを実行するために、リピータまたはリレー１００“リピータ”は、図７に示される配置７００を含む。配置（arrangement）は、装置（apparatus）と理解されてもよい。上述のように、リピータ１００は、無線アクセスネットワーク１１０に含まれる。無線アクセスネットワーク１１０は、リピータ１００に気付かない。
【００６４】
リピータ配置７００は、制御ユニット１５０からリピータ制御メッセージを受信するように設定された送受信機ユニット７１０を含む。リピータ制御メッセージは、無線アクセスネットワーク１１０の中の利用可能な無線通信チャネルを介した通常のデータ通信としてトンネルされる。リピータ１００は、リピータ制御メッセージを用いて、制御ユニットによって制御される。例えば、リピータ制御メッセージは、リピータ１００のスケジューリング制御を実行するようになされるか、またはリピータ１００のＯＮ／ＯＦＦを切り替え、もしくはリピータ１００の送信電力レベルを制御するようになされうる。
【００６５】
いくつかの実施形態において、送受信機ユニットは、さらに、制御ユニットにリピータ制御メッセージを送るように設定され、リピータ制御メッセージは無線アクセスネットワークの中の利用可能な無線通信チャネルを介した通常のデータ通信としてトンネルされる。リピータ制御メッセージは、リピータ１００からのフィードバックを含み、例えば、アップリンクおよびダウンリンクで測定された干渉電力の報告のような測定結果の報告を含みうる。
【００６６】
いくつかの実施形態において、リピータ１００は携帯電話デバイス２１０を含み、携帯電話デバイス２１０は、トンネルされたリピータ制御メッセージを送信または受信するために用いられるように設定される。
【００６７】
携帯電話デバイス２１０は、例えば、携帯電話プラットフォームまたはユーザ装置によって表されうる。
【００６８】
トンネルは、リピータ１００のＳＩＭカード、携帯電話番号、またはインターネットプロトコル“ＩＰ”アドレスを指定することで、制御ノードによって確立されうる。
【００６９】
上記のリピータ１００を制御するためのメカニズムと、上記の制御ユニット１５０によって制御されるためのメカニズムとは、図５に示される制御ユニット配置５００のプロセッサ５２０、または図７に示されるリピータ配置７００のプロセッサ７２０のように、本ソリューションの機能を実現するためのコンピュータプログラムコードを伴う１またはそれ以上のプロセッサを通じて実装されうる。上記のプログラムコードは、コンピュータプログラム製品、例えば、制御ユニット１５０またはリピータ１１０に読み込まれると本ソリューションを実行するコンピュータプログラムコードを搬送するデータキャリアの形で提供されてもよい。かかるキャリアの１つは、ＣＤ−ＲＯＭディスクの形におけるものでありうるが、メモリースティックのような他のデータキャリアによっても実現可能である。コンピュータプログラムコードは、さらに、サーバでのピュアプログラムコードとして提供され、制御ユニット１５０またはリピータ１１０にリモートでダウンロードされてもよい。
【００７０】
アップリンクという用語は、ユーザ装置から基地局への通信を意味し、ダウンリンクという用語は、基地局からユーザ装置への通信を意味する。
【００７１】
“備える”または“備えること”という用語が用いられる場合、それは非限定的に解釈されねばならず、すなわち“少なくとも含む”ことを意味する。
【００７２】
本発明は、上記の好適な実施形態に限定されるものではない。さまざまな代替案、変更および均等物が用いられうる。それゆえに、上記の実施形態は、請求の範囲によって定義される本発明の範囲を限定するものとして捉えられるべきではない。
【図１】
0005400159.tif 000002
【図２】
0005400159.tif 000003
【図３】
0005400159.tif 000004
【図４】
0005400159.tif 000005
【図５】
0005400159.tif 000006
【図６】
0005400159.tif 000007
【図７】
0005400159.tif 000008